(57)【特許請求の範囲】
【請求項１】
互いに直交方向に配した第一、第二の周側シート片と該第一、第二の周側シート片間に傾斜させて介在させた第三周側シート片で成る断面直角三角形状の、熱可塑性樹脂シート製の角筒体で注水筒を構成し、該注水筒の第一周側シート片をプールの側壁側に、第二周側シート片を前記プールの底壁側にそれぞれ配して前記側壁と前記底壁とが成す、前記プールの隅角部に前記注水筒を固定して浄水装置に連通させると共に、前記第三周側シート片には前記注水筒の長手方向に所定の間隔を置いて前記浄水装置からの還流水の注水口を並設した、プールの水還流装置における還流水注水装置。
【発明の詳細な説明】
【０００１】
【発明の属する技術分野】
本発明は、プール施設における水の還流装置の浄水後の還流水注水装置に関するものである。
【０００２】
【従来の技術】
新設時のプールの水還流装置は、図６に見られるように、通常プール中央部の排水口ａより水を排水し、構造物の地下などを通って浄水装置ｂまで送られ、浄化消毒された水は予め構造物に埋設された還流水通水筒ｃ´を通ってプール内壁部に設けられた吐出口ｄまで送られる。しかし、このプール構造物内に埋設された還流水通水筒ｃ´は経年とともに腐食もしくは他の要因により損傷し、どうしても修繕が必要となる。現在修繕工事として埋設の環流水通水筒ｃ´を交換するとした場合、プール構造物の一部を破壊して通水筒ｃ´を入れ替えるという大規模なものとなり、膨大な費用が必要となる。そこで通常は腐食もしくは破損した通水筒ｃ´を使用せず図１にみられるように硬質塩化ビニル製パイプで成る注入筒ｃを直接プール内に固定し、それに所定の間隔で穴をあけそこから還流水をプール内に注入、もどす方法がとられている。
【０００３】
【発明が解決しようとする課題】
しかしながら、上記の方法で修繕した場合、当然図１に示すように注入筒ｃが露出して外観が悪い。さらにまた図２の断面図より明らかなように注入筒ｃの外形の円形が、プールの側壁や底壁の直面が接するのであるから、接点箇所に隙間ができ足を隙間に挟んでしまう危険があった。
【０００４】
これを防止するために図３の断面図のように、この注入筒ｃをコンクリートｍで覆い危険をなくすことも行われているが、美観を損ねることにかわりはなくさらには大きな体積を所有することとなるし、かかる費用も大きかった。
【０００５】
そこで本発明者は従来の欠点に鑑み鋭意研究の結果、プールの美観を損ねず低コストで施工ができ、安全性も確保した上、その後のメンテナンスも容易な還流水注入装置を提案するものである。
【０００６】
【課題を解決するための手段】
互いに直交方向に配した第一、第二の周側シート片と該第一、第二の周側シート片間に傾斜させて介在させた第三周側シート片で成る断面直角三角形状の、熱可塑性樹脂シート製の角筒体で注水筒を構成し、該注水筒の第一周側シート片をプールの側壁側に、第二周側シート片を前記プールの底壁側にそれぞれ配して前記側壁と前記底壁とが成す、前記プールの隅角部に前記注水筒を固定して浄水装置に連通させると共に、前記第三周側シート片には前記注水筒の長手方向に所定の間隔を置いて前記浄水装置からの還流水の注水口を並設した、構成とするのである。
プール内面は通常コンクリートで形成して色が塗られるか、もしくはコンクリートを着色された塩化ビニル等の熱可塑性樹脂で被覆されている。それであるから一般的に鮮明な着色が困難であるがゆえにグレー色で使用される硬質塩化ビニル管に対し、着色が容易でプール内面壁色と同色にできる軟質の熱可塑性樹脂を素材とする注水筒を用いることによりプールの美観は著しく改善される。
【０００７】
また注水筒は、図４に示すような断面三角形状の角筒体で構成するため、プールの側壁及び底壁との間に隙間はできず、隙間に足を挟んでしまう等の危険もなく、またある程度の柔軟性も備えているので激突等によるケガの心配もない。
【０００８】
さらに素材を熱可塑性で熱融着の可能な材質とすることで、破損等がおきた場合でも補修が容易である等の利点も発生する。
【０００９】
使用される熱可塑性樹脂の厚さは材質にもよるが、少なくとも０．５〜１０ｍｍを有し、できれば多層構造で中間に補強用の織布、不織布、ガラスクロス等が使用されていることが望ましい。
【００１０】
水の注入口は当然水圧、水流によって穴をあけるポイントは適宜決定されるが穴をあけた箇所は補強と耐錆のことを考えれば、高強度の樹脂製ハトメで保護することが望ましい。
【００１１】
【発明の実施の形態】
以下、図面を参照しながら本発明について説明する。図４は三角筒状の注水筒を示し、注水筒１は、所定の配合で混練した熱可塑性樹脂をカレンダー等を用いてシート状に圧延成形してシート体と成し、該シート体をプールのサイズ、浄水機の能力等を考慮して所定のサイズにカットして第一、第二および第三の周側シート片１ａ，１ｂ，１ｃを得、第三シート片１ｃには長手方向に沿わせて所定の間隔を開けて穴を並設し、各穴をハトメで補強して注水口２となし、各周側シート片１ａ，１ｂ，１ｃを長手方向に沿わせて熱融着して、第一、第二の周側シート片１ａ，１ｂが互いに直交方向に配され、第三周側シート片１ｃが両シート片１ａ，１ｂ間に介在された断面直角三角筒状の角筒体で構成したものである。注水筒１成形のための各シート片１ａ，１ｂ，１ｃの接着には水圧に耐えうるための強固さが必要であり、接着剤の使用も可能であるが、熱によるヒートシールが強力であり望ましい。
【００１２】
成形された三角筒状の注水筒１は、プールＡの側壁Ａｗ面に第一周側シート片１ａを、底壁Ａｂ面に第二周側シート片１ｂをそれぞれ配して前記側壁Ａｗと底壁Ａｂとが成す隅角部に固定されるが、固定の方法はプール側壁Ａｗや底壁Ａｂがコンクリートの場合はステンレス製の延べ板を用いて目なしのアンカーボルトで固定し、側壁Ａｗ等が樹脂で被覆されている場合はヒートシールにより壁面に固定される。図７はその完成概略図である。
【００１３】
【実施例】
本発明、プール浄水装置還流水通水筒の成形と設置に関する一例を示す。通水筒を構成するヒートシール可能な熱可塑性樹脂として塩化ビニル樹脂を用いる。所定の配合で混練し、カレンダーで圧延された厚さ０．７ｍｍの塩化ビニルシートを２枚重ねた中間に補強布をサンドイッチして三層構造のシートを得た。これを所定の長さの短冊状にカットし、計算された所定の間隔で穴をあけ樹脂製のハトメを取り付けた。上記の穴をあけたシートが三角形の斜面となるようにヒートシールにより成形し、全体としてプールの周囲４辺のうち３辺をカバーできるように準備した。取付けるプールの内壁はコンクリートを塩化ビニルシートで被覆したもので、取付けはやはりヒートシールで強固に熱融着した。
【００１４】
【発明の効果】
本発明によれば、プールの美観を損ねず低コストで施工ができ、安全性も確保した上、その後のメンテナンスも容易なプールの還流水注水装置を提供できる。
【図面の簡単な説明】
【図１】  従来の方法による還流水注水筒による修繕状態図である。
【図２】  図１の断面図である。
【図３】  図１の注水筒をコンクリートで覆った場合の断面図である。
【図４】  本発明に適用した注入筒の斜視図である。
【図５】  本発明の断面図である。
【図６】  既存プールの水循環システムの概略図である。
【図７】  本発明の斜視図である。
【符号の説明】
１ 注水筒
２ 注水口
Ａｗ 側壁
Ａｂ 底壁
【図１】
0004022359.tif 000002
【図２】
0004022359.tif 000003
【図３】
0004022359.tif 000004
【図４】
0004022359.tif 000005
【図５】
0004022359.tif 000006
【図６】
0004022359.tif 000007
【図７】
0004022359.tif 000008